(57)【要約】      （修正有）【課題】野積み物に風が吹き付けられるのを抑制、及び／又は風による粉塵等の飛散を抑制することができ、強風時に損傷することがない防風フェンス及びその構築物を提供する。【解決手段】支持柱と、支持柱から水平方向に設けられた腕部と、腕部に吊設された複数の壁部材と、を備える。壁部材は、揺動することができ、水平方向に多数並べられた長尺物・紐状物・板状物とすることができる。本発明によれば、少なくとも野積み物２の一側面側に防風フェンス１を設置して使用することで、風上からの風４を遮断・減衰して野積み物２に風４が吹き付けられるのを抑制し、野積み物２が飛散するのを抑制する。また、風４に載った野積み物２を遮断することで風下へ野積み物２が飛散することを抑制する。【選択図】図１
2006143408.tif 000002
【特許請求の範囲】
【請求項１】
支持柱と、該支持柱から水平方向に設けられた腕部と、該腕部に吊設された複数の壁部材と、を備えることを特徴とする防風フェンス。
【請求項２】
上記壁部材は、揺動することができる請求項１記載の防風フェンス。
【請求項３】
上記壁部材は、水平方向に多数並べられた長尺物である請求項１又は２記載の防風フェンス。
【請求項４】
上記長尺物は、紐状物である請求項３記載の防風フェンス。
【請求項５】
上記長尺物は、板状物である請求項３記載の防風フェンス。
【請求項６】
野積み物と、該野積み物の少なくとも一側面側に設けられる請求項１乃至５のいずれか一項に記載の防風フェンスと、を備えることを特徴とする防風フェンス構築物。
【請求項７】
上記野積み物は海岸に設けられ、上記防風フェンスは海及び該野積み物間に設けられる請求項６記載の防風フェンス構築物。
【請求項８】
上記野積み物は海岸に設けられ、上記防風フェンスは該野積み物の海と対向する側面の反対側の側面側に設けられる請求項６記載の防風フェンス構築物。
【発明の詳細な説明】
【技術分野】
【０００１】
本発明は野積み物に風が吹き付けられるのを抑制、及び／又は風による粉塵等の飛散を抑制することができ、且つ、強風時に損傷することがない防風フェンス及びその構築物に関する。本防風フェンス及びその構築物は、野積みされた石炭等の野積み物の飛散を抑制するために用いられる。
【背景技術】
【０００２】
石炭等は屋外に野積みされて保管することがあるが、そのままでは野積み物に風が吹き付けられて、野積み物そのものや野積み物に含まれる粉塵等が風によって飛散し、周囲を汚染する恐れがある。このため、野積み物の周囲を防風フェンスで囲ったり、野積み物の表面をシート等で覆ったりしていた。
【０００３】
【特許文献１】特開昭５７−１３１６０７号公報（第３頁、第２図）
【特許文献２】特開昭５７−１２７０７９号公報（第２頁、第６図）
【発明の開示】
【発明が解決しようとする課題】
【０００４】
しかし、防風フェンスは、台風等の強風時でも損傷しない程度の強度が必要であり、大がかりで高価なものになりやすい。また、シート等を用いて覆う方法は、シート等を用いて覆ったり、はずしたりするための手間が必要である。
本発明は、このような問題点を解決するものであり、野積み物に風が吹き付けられるのを抑制、及び／又は風による粉塵等の飛散を抑制することができ、且つ、強風時に損傷することがない防風フェンス及びその構築物を提供することを目的とする。
【課題を解決するための手段】
【０００５】
本発明は、以下の通りである。
１．支持柱と、該支持柱から水平方向に設けられた腕部と、該腕部に吊設された複数の壁部材と、を備えることを特徴とする防風フェンス。
２．上記壁部材は、揺動することができる上記１．記載の防風フェンス。
３．上記壁部材は、水平方向に多数並べられた長尺物である上記１．又は２．記載の防風フェンス。
４．上記長尺物は、紐状物である上記３．記載の防風フェンス。
５．上記長尺物は、板状物である上記３．記載の防風フェンス。
６．野積み物と、該野積み物の少なくとも一側面側に設けられる上記１．乃至５．のいずれか一項に記載の防風フェンスと、を備えることを特徴とする防風フェンス構築物。
７．上記野積み物は海岸に設けられ、上記防風フェンスは海及び該野積み物間に設けられる上記６．記載の防風フェンス構築物。
８．上記野積み物は海岸に設けられ、上記防風フェンスは該野積み物の海と対向する側面の反対側の側面側に設けられる上記６．記載の防風フェンス構築物。
【発明の効果】
【０００６】
本発明の防風フェンスによれば、野積み物に風が吹き付けられるのを抑制することができる。また、風による野積み物の粉塵等の飛散を抑制することができる。
更に、壁部材が風によって揺動する場合は、強風時は、壁部材が風によって持ち上げられることで、防風フェンスに開口部が設けられ、防風フェンス全体に対する風による負担が軽減されるため、フェンス自体の破損を防止することができる。
上記壁部材が、水平方向に多数並べられた長尺物である場合は、強風によって容易に揺動できる壁部材とすることができる。
この長尺物が紐状物又は板状物である場合は、強風によって容易に揺動できる壁部材とすることができる。
【０００７】
本発明の防風フェンス構築物によれば、少なくとも野積み物の一側面側に防風フェンスを設置して使用することで、風上からの風を遮断・減衰して野積み物に風が吹き付けられるのを抑制し、野積み物が飛散するのを抑制する防風フェンスとして機能することができる。また、風に載った野積み物を遮断することで風下へ野積み物が飛散することを抑制する防塵フェンスとして機能することができる。
防風フェンスが海及び野積み物間に設けられる場合は、海側からの風を遮断・減衰して野積み物に風が吹き付けられるのを抑制し、風によって舞い上がった野積み物が陸地側に飛散するのを抑制することができる。
防風フェンスが、防風フェンスと海によって野積み物を挟むように設けられる場合は、海側からの風に載った野積み物を遮断することで、野積み物が風下の陸地側に飛散することを抑制することができる。
【発明を実施するための最良の形態】
【０００８】
以下、図１〜図１２を用いて本発明である防風フェンス及びその構築物を詳細に説明する。
上記「支持柱」は、腕部を支持する柱である。また、上記「腕部」は、壁部材を支持するものである。これら支持柱及び腕部は、任意の材質とすることができ、例えば、木、樹脂及び金属等を挙げることができる。また、腕部は樹脂製ロープ等の撓みやすい支持材を用いることができる。このような撓みやすい支持材を用いた腕部は、２本の支持柱間に張り渡して設けることができる。
支持柱の高さ、及び腕部の長さは特に限定されず、任意に選択することができる。
【０００９】
上記「壁部材」は風に対する障壁となって、風を遮断したり又は減衰させたりすることができる部材である。また、風に含まれる野積み物の粉塵等を遮断したり又は減衰させたりして飛散を抑制する部材である。壁部材の材質は任意に選択することができ、合成樹脂及び金属等を例示することができる。また、壁部材の形状は任意に選択することができ、紐状物（例えば図３の壁部材１３を参照）、板状物（例えば図４の壁部材１３１を参照）、網状物（例えば図５の壁部材１３２を参照）、棒状物等を任意に選択することができる。また、紐状物及び板状物等の長尺物は、図３及び４に例示するように、水平方向に多数並べ、上端を腕部に吊設することができる。
このように壁部材を腕部に吊り下げるように設け、下方側を揺動自在にすることによって、強風の場合は図７に例示するように風が壁部材を押し上げて通過することができる。また、風が通過する分だけ壁部材自体に掛かる圧力を低減することができ、壁部材を支持する腕部及び支持柱を含む防風フェンスの破損を防止することができる。更に、風が壁部材を押し上げるために運動エネルギーを費やすため通過した風は通過前より減衰し、野積み物の飛散を抑制することができる。
【００１０】
上記「強風」とは、防風フェンスを構成する支持柱、腕部及び壁部材等の構成要素が損傷しやすくなる強さの風である。この風速は任意に選択することができるが、例えば１０ｍ／ｓ以上の強風とすることができる。このような強い風の場合に壁部材を揺動させて壁面の開口部分を増やすことで、防風フェンス全体の負担を減らし、防風フェンスの構成要素が損傷することがないようにすることができる。
壁部材の揺動の程度は任意に選択することができる。この例として図７に例示するように、開口率を無風時の壁部材１３の高さＨと、壁部材１３の下端が持ち上がる高さＨ’との比率（Ｈ’／Ｈ）×１００とすると、無風時の０％に対して、１０ｍ／ｓ以上の強風では５０％以上（好ましくは、４０％以上、更に好ましくは３０％以上）開口することを挙げることができる。このような開口率となるまで揺動させることで、壁部材１３に対する圧力が、開口しない場合に比べて減少し、防風フェンス全体の破損を防止することができる。
更に、壁部材は、その下端側に任意の重量の錘を設けることによって、揺動の程度を調節することができる。また、壁部材は孔を設ける等、形状を変えることによっても揺動の程度を調節することができる。
【００１１】
本防風フェンスは、野積み物の少なくとも一側面側に設置された構築物として使用することができる。上記「一側面側」は、通常野積み物による飛散を抑制する必要がある側、又はその反対側である。少なくとも野積み物の飛散を抑制したい方向の側面側に本防風フェンスを設けることで、風に載った野積み物を防風フェンスが遮断し、風下へ野積み物が飛散することを抑制することができる。また、野積み物の飛散を抑制したい方向の反対の側面側に本防風フェンスを設けることで（例えば、図１を参照）、風上からの風を遮断・減衰して野積み物に風が吹き付けられるのを抑制し、野積み物が飛散するのを抑制する防塵フェンスとして機能することができる。
【００１２】
上記「野積み物」は、石炭及び土砂等を屋外に積み上げたものである。野積み物の風上に防風フェンスを設置して使用することで、風上からの風を遮断・減衰することで野積み物に風が吹き付けられるのを抑制することができる。また、風下に防風フェンスを設置して使用することで、風に乗った野積み物を遮断することで風下へ野積み物が飛散することを抑制することができる。
更に、防風フェンス１は、図１及び８に例示する直線状に配設することに限られず、例えば図１０に示すように任意の場所に屈曲部分１４を備えていてもよい。また、図１１に例示するように野積み物２の周囲を囲うように防風フェンス１を設けてもよい。
更に、図１２に示すように、防風フェンス１の野積み物２と対向する側に沿って、地面に溝５を設けることができる。このように溝５を設けた場合は、防風フェンス１で遮られた飛散した野積み物を溝５内に収容することができ、飛散した後、地面に落下した野積み物が、風に乗って再飛散することを抑制することができる。
【実施例１】
【００１３】
本発明の防風フェンス及びその構築物を実施例により説明する。本実施例１は、海岸に野積みされた石炭である野積み物と、その飛散を抑制するための防風フェンスから構成される構築物である。
１．防風フェンスの構成
本実施例の防風フェンス１は図１及び８に示すように、海岸に野積みされた石炭からなる野積み物２と海３との間に配設され、図２及び３に示すように、支持柱１１、腕部１２及び壁部材１３を備える。また、本防風フェンス１は、高さが約２０ｍ、幅が約２０ｍである。
支持柱１１は、高さが約２０ｍ、直径約２００ｍｍの鋼管であり、地上から１ｍ毎に腕部１２の取り付け部が設けられている。
腕部１２は、長さが約２０ｍ、直径約８０ｍｍの鋼管であり、両端が隣り合う支持柱１１に架け渡すように固定されている。
壁部材１３は、長さが約１ｍ、直径約４ｍｍのナイロン製ロープであり、上方の一辺を腕部１２に固定している。これによって、壁部材１３は垂れ下がった状態で設けられる。また、壁部材１３は、図３に示すように腕部１２の水平方向に多数配設されている。
【００１４】
２．防風フェンスの効果
本防風フェンスは、図１に示すように海３から陸地に向かう風４が吹いても、壁部材１３によって風４を減衰させることができ、風４が野積み物２を舞い上げて、陸地側に飛散させることを抑制することができる。更に、陸地側から海３へ向かう風が吹く場合は、風が野積み物２を通過して野積み物の粉塵等を載せ、海に飛散させることを壁部材１３によって抑制する防塵フェンスとして機能することができる。
また、本防風フェンスの壁部材１３は、図６及び７に示すように、壁部材１３の下方側が腕部１２に固定されていないため、風によって揺動することができる。更に、壁部材１３の下方側が無風時より大きく持ち上がるように揺動し、開口率が増加する。また、開口率を無風時の壁部材１３の高さＨと、壁部材１３の下端が持ち上がる高さＨ’との比率（Ｈ’／Ｈ）×１００とすると、無風時の０％に対して、１０ｍ／ｓ以上の強風では５０％以上開口する場合は、壁部材１３に対する圧力が、開口しない場合に比べて減少する。このため、壁部材１３及びそれを支える腕部１２及び支持柱１１への負担が減り、防風フェンス全体の破損を防止することができる。また、風によって本実施例の防風フェンスに掛かる負担を従来の防風フェンスより減らすことができるため、支持柱１１及び腕部１２をより軽量にすることができる。
【実施例２】
【００１５】
本実施例２の防風フェンス及びその構築物は、図９に示すように、海岸に野積みされた石炭である野積み物と、野積み物の海と反対側の側面側に設けられた実施例１と同様の防風フェンスから構成される構築物である。
本防風フェンスは、実施例１と同様に海側からの風が野積み物２を通過して野積み物の粉塵等を舞い上げ、陸地側に飛散させることを壁部材１３によって抑制する防塵フェンスとして機能することができる。また、陸地側から海３へ向かう風が吹く場合は、壁部材１３によって風を減衰させることができ、風が野積み物２を海側に飛散させることを抑制する防風フェンスとして機能することができる。
更に、実施例１と同様に、強風時に壁部材１３が図７に示すように揺動し、防風フェンス全体の破損を防止することができる。
【００１６】
尚、本発明においては、前記実施例に示すものに限られず、目的、用途に応じて本発明の範囲内で種々変更した態様とすることができる。例えば、支持柱及び腕部の長さ、並びに壁部材の長さは、各実施例に記載した長さに限られず、任意に選択することができる。
壁部材は、紐状物であるロープに限られず、図４に示すように樹脂板及び織布等で作られた板状物の壁部材１３１であってもよい。また、図５に示すように網や孔を多数設けた板等で作られた網状物の壁部材１３２であってもよい。
更に、本防風フェンスは図１、８及び９に示すように、野積み物２の１側面に限らず、図１０に示すように両側面に設けてもよいし、図１１に示すように野積み物２を囲うように設けることもできる。また、本防風フェンスは図１、８及び９に示すように、直線状に設けるに限られず、図１０に示すように屈曲部１４を備えてもよいし、弧状に設けることもできる。
【図面の簡単な説明】
【００１７】
【図１】本防風フェンスの構成を説明するための模式斜視図である。
【図２】本防風フェンスの構成を説明するための模式正面図である。
【図３】本防風フェンスの構成を説明するための模式正面図である。
【図４】本防風フェンスの構成を説明するための模式正面図である。
【図５】本防風フェンスの構成を説明するための模式正面図である。
【図６】本防風フェンスの構成を説明するための模式側面断面図である。
【図７】風によって壁部材が揺動する様子を説明するための模式側面断面図である。
【図８】本防風フェンスの野積み物の位置関係を説明するための模式平面図である。
【図９】本防風フェンスの野積み物の位置関係を説明するための模式平面図である。
【図１０】本防風フェンスの野積み物の位置関係を説明するための模式平面図である。
【図１１】本防風フェンスの野積み物の位置関係を説明するための模式平面図である。
【図１２】本防風フェンスのそばに溝を設けた状態を説明するための模式平面図である。
【符号の説明】
【００１８】
１；防風フェンス、１１；支持柱、１２；腕部、１３、１３１、１３２；壁部材、２；野積み物、３；海、５；溝。
【図１】
2006143408.tif 000003
【図２】
2006143408.tif 000004
【図３】
2006143408.tif 000005
【図４】
2006143408.tif 000006
【図５】
2006143408.tif 000007
【図６】
2006143408.tif 000008
【図７】
2006143408.tif 000009
【図８】
2006143408.tif 000010
【図９】
2006143408.tif 000011
【図１０】
2006143408.tif 000012
【図１１】
2006143408.tif 000013
【図１２】
2006143408.tif 000014